(57)【要約】  本願実施例はデュアル登録の端末装置の無線通信方法、端末装置、及びネットワーク装置を提供し、端末装置は第１ネットワーク装置及び第２ネットワーク装置にアップリンク情報を合理的に送信できる。該方法は、該端末装置が同時に第１ネットワーク及び第２ネットワークに登録し、該端末装置が第１ネットワーク装置に第１メッセージを送信し、該第１ネットワーク装置が該第１ネットワークでのネットワーク装置であることと、該端末装置が該第１ネットワーク装置から送信された設定情報を受信し、該設定情報は、第１期間内において第２ネットワーク装置にアップリンクメッセージを送信するように該端末装置に指示し、該第２ネットワーク装置が該第２ネットワークでのネットワーク装置であることと、を含む。
2021512513.tif 000002
【特許請求の範囲】
【請求項１】
デュアル登録の端末装置の無線通信方法であって、前記端末装置は同時に第１ネットワーク及び第２ネットワークに登録し、
前記方法は、
前記端末装置が第１ネットワーク装置に第１メッセージを送信し、前記第１ネットワーク装置が前記第１ネットワークでのネットワーク装置であることと、
前記端末装置が前記第１ネットワーク装置から送信された設定情報を受信し、前記設定情報は、第１期間内において第２ネットワーク装置にアップリンクメッセージを送信するように前記端末装置に指示し、前記第２ネットワーク装置が前記第２ネットワークでのネットワーク装置であることと、を含むことを特徴とするデュアル登録の端末装置の無線通信方法。
【請求項２】
前記端末装置が前記第１ネットワーク装置に前記第１メッセージを送信する前に、又は、前記端末装置が前記第１ネットワーク装置に前記第１メッセージを送信する時に、前記方法は更に、
前記端末装置が前記第２ネットワーク装置に第１指示情報を送信し、前記第１指示情報は、前記端末装置が現在前記第２ネットワーク装置にアップリンクメッセージを送信できないことを示すことに用いられ、又は、前記第１指示情報は、前記端末装置が前記第２ネットワーク装置にアップリンクメッセージを送信できる時間を示すことに用いられることを含むことを特徴とする請求項１に記載の方法。
【請求項３】
前記第１指示情報は第２期間を含み、前記第１指示情報は、前記端末装置が前記第２期間内において前記第２ネットワーク装置にアップリンクメッセージを送信できないことを示すことに用いられることを特徴とする請求項２に記載の方法。
【請求項４】
前記端末装置が前記第１ネットワーク装置から送信された前記設定情報を受信する前に、前記方法は更に、
前記端末装置が前記第１ネットワーク装置に第２指示情報を送信し、前記第２指示情報は、前記端末装置が前記第２ネットワーク装置にアップリンクデータ、ページング応答、位置更新要求のうちの少なくとも１つを送信する必要があることを示すことに用いられることを含むことを特徴とする請求項１に記載の方法。
【請求項５】
前記第１メッセージはアップリンクデータ、ページング応答、位置更新要求のうちの少なくとも１つを含むことを特徴とする請求項１〜４のいずれか１項に記載の方法。
【請求項６】
前記端末装置が前記第２ネットワーク装置にアップリンクメッセージを送信し、前記アップリンクメッセージはアップリンクデータ、ページング応答、位置更新要求のうちの少なくとも１つを含むことを更に含むことを特徴とする請求項１〜５のいずれか１項に記載の方法。
【請求項７】
前記端末装置は、同時に前記第１ネットワークと前記第２ネットワークにおいてアップリンク送信を行うことをサポートしないことを特徴とする請求項１〜６のいずれか１項に記載の方法。
【請求項８】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１〜７のいずれか１項に記載の方法。
【請求項９】
デュアル登録の端末装置の無線通信方法であって、前記端末装置は同時に第１ネットワーク及び第２ネットワークに登録し、
前記方法は、
第１ネットワーク装置が前記端末装置から送信された第１メッセージを受信し、前記第１ネットワーク装置が前記第１ネットワークでのネットワーク装置であることと、
前記第１ネットワーク装置が第２ネットワーク装置に第１指示情報を送信し、前記第１指示情報は、前記端末装置が現在前記第２ネットワーク装置にアップリンクメッセージを送信できないことを示すことに用いられ、又は、前記指示情報は、前記端末装置が前記第２ネットワーク装置にアップリンクメッセージを送信する時間を示すことに用いられ、前記第２ネットワーク装置が前記第２ネットワークでのネットワーク装置であることと、を含むことを特徴とするデュアル登録の端末装置の無線通信方法。
【請求項１０】
前記第１ネットワーク装置が前記端末装置に設定情報を送信し、前記設定情報は、第１期間内において第２ネットワーク装置にアップリンクメッセージを送信するように前記端末装置に指示し、前記第２ネットワーク装置が前記第２ネットワークでのネットワーク装置であることを更に含むことを特徴とする請求項９に記載の方法。
【請求項１１】
前記第１ネットワーク装置が前記端末装置から送信された前記設定情報を受信する前に、前記方法は更に、
前記第１ネットワーク装置が前記端末装置から送信された指示情報を受信し、前記指示情報は、前記端末装置が前記第２ネットワーク装置にアップリンクデータ、ページング応答、位置更新要求のうちの少なくとも１つを送信する必要があることを示すことに用いられることを含むことを特徴とする請求項１０に記載の方法。
【請求項１２】
前記第１ネットワーク装置が前記端末装置に第２指示情報を送信し、前記第２指示情報は、第２期間内において前記第２ネットワーク装置にアップリンクメッセージを送信するように前記端末装置に指示することを更に含むことを特徴とする請求項９〜１１のいずれか１項に記載の方法。
【請求項１３】
前記第１メッセージはアップリンクデータ、ページング応答、位置更新要求のうちの少なくとも１つを含むことを特徴とする請求項９〜１２のいずれか１項に記載の方法。
【請求項１４】
前記アップリンクメッセージはアップリンクデータ、ページング応答、位置更新要求のうちの少なくとも１つを含むことを特徴とする請求項９〜１３のいずれか１項に記載の方法。
【請求項１５】
前記端末装置は、同時に前記第１ネットワークと前記第２ネットワークにおいてアップリンク送信を行うことをサポートしないことを特徴とする請求項９〜１４のいずれか１項に記載の方法。
【請求項１６】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項９〜１５のいずれか１項に記載の方法。
【請求項１７】
デュアル登録の端末装置の無線通信方法であって、前記端末装置は同時に第１ネットワーク及び第２ネットワークに登録し、
前記方法は、
第２ネットワーク装置が第１装置から送信された指示情報を受信し、前記指示情報は、前記端末装置が現在前記第２ネットワーク装置にアップリンクメッセージを送信できないことを示すことに用いられ、又は、前記指示情報は、前記端末装置が前記第２ネットワーク装置にアップリンクメッセージを送信する時間を示すことに用いられ、前記第２ネットワーク装置が前記第２ネットワークでのネットワーク装置であることと、
前記第２ネットワーク装置が前記指示メッセージに基づいて、前記端末装置から送信されたアップリンクメッセージを受信する時刻を決定することと、を含むことを特徴とするデュアル登録の端末装置無線通信の方法。
【請求項１８】
前記第２ネットワーク装置が前記端末装置から送信された前記指示情報を受信する前に、前記方法は更に、
前記第２ネットワーク装置が前記端末装置にページングメッセージを送信することを含むことを特徴とする請求項１７に記載の方法。
【請求項１９】
前記第２ネットワーク装置が前記端末装置から送信されたアップリンクメッセージを受信することを更に含むことを特徴とする請求項１７又は１８に記載の方法。
【請求項２０】
前記アップリンクメッセージはアップリンクデータ、ページング応答、位置更新要求のうちの少なくとも１つを含むことを特徴とする請求項１７〜１９のいずれか１項に記載の方法。
【請求項２１】
前記第１装置は前記端末装置又は第１ネットワーク装置であり、前記第１ネットワーク装置は前記第１ネットワークでのネットワーク装置であることを特徴とする請求項１７〜２０のいずれか１項に記載の方法。
【請求項２２】
前記端末装置は、同時に前記第１ネットワークと前記第２ネットワークにおいてアップリンク送信を行うことをサポートしないことを特徴とする請求項１７〜２１のいずれか１項に記載の方法。
【請求項２３】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１７〜２２のいずれか１項に記載の方法。
【請求項２４】
端末装置であって、前記端末装置は同時に第１ネットワーク及び第２ネットワークに登録し、
前記端末装置は、
第１ネットワーク装置に第１メッセージを送信することに用いられ、前記第１ネットワーク装置が前記第１ネットワークでのネットワーク装置である送信ユニットと、
前記第１ネットワーク装置から送信された設定情報を受信することに用いられ、前記設定情報は、第１期間内において第２ネットワーク装置にアップリンクメッセージを送信するように前記端末装置に指示し、前記第２ネットワーク装置が前記第２ネットワークでのネットワーク装置である受信ユニットと、を備えることを特徴とする端末装置。
【請求項２５】
前記送信ユニットが前記第１ネットワーク装置に前記第１メッセージを送信する前に、又は、前記送信ユニットが前記第１ネットワーク装置に前記第１メッセージを送信する時に、前記送信ユニットは更に、前記第２ネットワーク装置に第１指示情報を送信することに用いられ、前記第１指示情報は、前記端末装置が現在前記第２ネットワーク装置にアップリンクメッセージを送信できないことを示すことに用いられ、又は、前記第１指示情報は、前記端末装置が前記第２ネットワーク装置にアップリンクメッセージを送信できる時間を示すことに用いられることを特徴とする請求項２４に記載の端末装置。
【請求項２６】
前記第１指示情報は第２期間を含み、前記第１指示情報は、前記端末装置が前記第２期間内において前記第２ネットワーク装置にアップリンクメッセージを送信できないことを示すことに用いられることを特徴とする請求項２５に記載の端末装置。
【請求項２７】
前記受信ユニットが前記第１ネットワーク装置から送信された前記設定情報を受信する前に、前記送信ユニットは更に、前記第１ネットワーク装置に第２指示情報を送信することに用いられ、前記第２指示情報は、前記端末装置が前記第２ネットワーク装置にアップリンクデータ、ページング応答、位置更新要求のうちの少なくとも１つを送信する必要があることを示すことに用いられることを特徴とする請求項２４に記載の端末装置。
【請求項２８】
前記第１メッセージはアップリンクデータ、ページング応答、位置更新要求のうちの少なくとも１つを含むことを特徴とする請求項２４〜２７のいずれか１項に記載の端末装置。
【請求項２９】
前記送信ユニットは更に、前記第２ネットワーク装置にアップリンクメッセージを送信することに用いられ、前記アップリンクメッセージはアップリンクデータ、ページング応答、位置更新要求のうちの少なくとも１つを含むことを特徴とする請求項２４〜２８のいずれか１項に記載の端末装置。
【請求項３０】
前記端末装置は、同時に前記第１ネットワークと前記第２ネットワークにおいてアップリンク送信を行うことをサポートしないことを特徴とする請求項２４〜２９のいずれか１項に記載の端末装置。
【請求項３１】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項２４〜３０のいずれか１項に記載の端末装置。
【請求項３２】
ネットワーク装置であって、前記ネットワーク装置は端末装置と通信し、前記端末装置は同時に第１ネットワーク及び第２ネットワークに登録し、
前記ネットワーク装置は、
前記端末装置から送信された第１メッセージを受信することに用いられ、前記第１ネットワーク装置が前記第１ネットワークでのネットワーク装置である受信ユニットと、
第２ネットワーク装置に第１指示情報を送信することに用いられ、前記第１指示情報は、前記端末装置が現在前記第２ネットワーク装置にアップリンクメッセージを送信できないことを示すことに用いられ、又は、前記指示情報は、前記端末装置が前記第２ネットワーク装置にアップリンクメッセージを送信する時間を示すことに用いられ、前記第２ネットワーク装置が前記第２ネットワークでのネットワーク装置である送信ユニットと、を備えることを特徴とするネットワーク装置。
【請求項３３】
前記送信ユニットは更に前記端末装置に設定情報を送信することに用いられ、前記設定情報は、第１期間内において第２ネットワーク装置にアップリンクメッセージを送信するように前記端末装置に指示し、前記第２ネットワーク装置は前記第２ネットワークでのネットワーク装置であることを特徴とする請求項３２に記載のネットワーク装置。
【請求項３４】
前記受信ユニットが前記端末装置から送信された前記設定情報を受信する前に、前記受信ユニットは更に、前記端末装置から送信された指示情報を受信することに用いられ、前記指示情報は、前記端末装置が前記第２ネットワーク装置にアップリンクデータ、ページング応答、位置更新要求のうちの少なくとも１つを送信する必要があることを示すことに用いられることを特徴とする請求項３３に記載のネットワーク装置。
【請求項３５】
前記送信ユニットは更に前記端末装置に第２指示情報を送信することに用いられ、前記第２指示情報は、第２期間内において前記第２ネットワーク装置にアップリンクメッセージを送信するように前記端末装置に指示することを特徴とする請求項３２〜３４のいずれか１項に記載のネットワーク装置。
【請求項３６】
前記第１メッセージはアップリンクデータ、ページング応答、位置更新要求のうちの少なくとも１つを含むことを特徴とする請求項３２〜３５のいずれか１項に記載のネットワーク装置。
【請求項３７】
前記アップリンクメッセージはアップリンクデータ、ページング応答、位置更新要求のうちの少なくとも１つを含むことを特徴とする請求項３２〜３６のいずれか１項に記載のネットワーク装置。
【請求項３８】
前記端末装置は、同時に前記第１ネットワークと前記第２ネットワークにおいてアップリンク送信を行うことをサポートしないことを特徴とする請求項３２〜３７のいずれか１項に記載のネットワーク装置。
【請求項３９】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項３２〜３８のいずれか１項に記載のネットワーク装置。
【請求項４０】
ネットワーク装置であって、前記ネットワーク装置は端末装置と通信し、前記端末装置は同時に第１ネットワーク及び第２ネットワークに登録し、
前記ネットワーク装置は、
第１装置から送信された指示情報を受信することに用いられ、前記指示情報は、前記端末装置が現在前記第２ネットワーク装置にアップリンクメッセージを送信できないことを示すことに用いられ、又は、前記指示情報は、前記端末装置が前記第２ネットワーク装置にアップリンクメッセージを送信する時間を示すことに用いられ、前記第２ネットワーク装置が前記第２ネットワークでのネットワーク装置である受信ユニットと、
前記指示メッセージに基づいて、前記端末装置から送信されたアップリンクメッセージを受信する時刻を決定することに用いられる処理ユニットと、を備えることを特徴とするネットワーク装置。
【請求項４１】
前記受信ユニットが前記端末装置から送信された前記指示情報を受信する前に、前記ネットワーク装置は更に、
前記端末装置にページングメッセージを送信することに用いられる送信ユニットを備えることを特徴とする請求項４０に記載のネットワーク装置。
【請求項４２】
前記受信ユニットは更に、前記端末装置から送信されたアップリンクメッセージを受信することに用いられることを特徴とする請求項４０又は４１に記載のネットワーク装置。
【請求項４３】
前記アップリンクメッセージはアップリンクデータ、ページング応答、位置更新要求のうちの少なくとも１つを含むことを特徴とする請求項４０〜４２のいずれか１項に記載のネットワーク装置。
【請求項４４】
前記第１装置は前記端末装置又は第１ネットワーク装置であり、前記第１ネットワーク装置は前記第１ネットワークでのネットワーク装置であることを特徴とする請求項４０〜４３のいずれか１項に記載のネットワーク装置。
【請求項４５】
前記端末装置は、同時に前記第１ネットワークと前記第２ネットワークにおいてアップリンク送信を行うことをサポートしないことを特徴とする請求項４０〜４４のいずれか１項に記載のネットワーク装置。
【請求項４６】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項４０〜４５のいずれか１項に記載のネットワーク装置。
【発明の詳細な説明】
【技術分野】
【０００１】
本願は通信分野に関し、より具体的に、デュアル登録の端末装置の無線通信方法、端末装置、及びネットワーク装置に関する。
【背景技術】
【０００２】
第５世代移動通信技術（５Ｇ、５−Ｇｅｎｅｒａｔｉｏｎ）の新エアインタフェース（ＮＲ、Ｎｅｗ  Ｒａｄｉｏ）通信において、端末装置は２つのネットワーク（ロングタームエボリューション（ＬＴＥ、Ｌｏｎｇ  Ｔｅｒｍ  Ｅｖｏｌｕｔｉｏｎ）及びＮＲ）において同時に受信（Ｒｘ、Ｒｅｃｅｉｖｅ）又は送信（Ｔｘ、Ｔｒａｎｓｍｉｓｓｉｏｎ）するのをサポートでき、端末装置は２つのネットワークのいずれにも登録する。シングル送信（１Ｒｘ／１Ｔｘ）しかサポートしない端末が、１つの登録したネットワークでアップリンク送信を行う時に、もう１つの登録したネットワークでデータ送信を行うことができないという問題について、どのように２つの登録したネットワークにおけるアップリンク送信を実現するかは早急に解決すべき課題である。
【発明の概要】
【発明が解決しようとする課題】
【０００３】
本願実施例はデュアル登録の端末装置の無線通信方法、端末装置、及びネットワーク装置を提供し、端末装置は第１ネットワーク装置及び第２ネットワーク装置にアップリンク情報を合理的に送信できる。
【課題を解決するための手段】
【０００４】
第１態様では、本願実施例はデュアル登録の端末装置の無線通信方法を提供し、該端末装置は同時に第１ネットワーク及び第２ネットワークに登録し、
該方法は、
該端末装置が第１ネットワーク装置に第１メッセージを送信し、該第１ネットワーク装置が該第１ネットワークでのネットワーク装置であることと、
該端末装置が該第１ネットワーク装置から送信された設定情報を受信し、該設定情報は、第１期間内において第２ネットワーク装置にアップリンクメッセージを送信するように該端末装置に指示し、該第２ネットワーク装置が該第２ネットワークでのネットワーク装置であることと、を含む。
【０００５】
従って、本願実施例のデュアル登録の端末装置の無線通信方法では、端末装置は第１ネットワーク装置に第１メッセージを送信すると同時に、第１ネットワーク装置から送信された設定情報に基づいて第２ネットワーク装置にアップリンク情報を送信し、それによって、端末装置は第１ネットワーク装置及び第２ネットワーク装置にアップリンク情報を合理的に送信できる。
【０００６】
選択肢として、第１態様の１つの実現方式では、該端末装置が該第１ネットワーク装置に該第１メッセージを送信する前に、又は、該端末装置が該第１ネットワーク装置に該第１メッセージを送信する時に、該方法は更に、
該端末装置が該第２ネットワーク装置に第１指示情報を送信し、第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信できる時間を示すことに用いられることを含む。
【０００７】
従って、本願実施例のデュアル登録の端末装置の無線通信方法では、端末装置は第１ネットワーク装置にアップリンク情報を送信する前に、又は送信すると同時に、端末装置が第２ネットワーク装置にアップリンク情報を送信する時間を示すことができ、それによって、端末装置は第１ネットワーク装置及び第２ネットワーク装置にアップリンク情報を合理的に送信できる。
【０００８】
選択肢として、第１態様の１つの実現方式では、前記第１指示情報は第２期間を含み、前記第１指示情報は、前記端末装置が前記第２期間内において前記第２ネットワーク装置にアップリンクメッセージを送信できないことを示すことに用いられる。
【０００９】
選択肢として、第１態様の１つの実現方式では、該端末装置が該第１ネットワーク装置から送信された該設定情報を受信する前に、該方法は更に、
該端末装置が該第１ネットワーク装置に第２指示情報を送信し、該第２指示情報は、該端末装置が該第２ネットワーク装置にアップリンクデータ、ページング応答、位置更新要求のうちの少なくとも１つを送信する必要があることを示すことに用いられることを含む。
【００１０】
選択肢として、第１態様の１つの実現方式では、該第１メッセージはアップリンクデータ、ページング応答、位置更新要求のうちの少なくとも１つを含む。
【００１１】
選択肢として、第１態様の１つの実現方式では、該方法は更に、
該端末装置が該第２ネットワーク装置にアップリンクメッセージを送信し、該アップリンクメッセージはアップリンクデータ、ページング応答、位置更新要求のうちの少なくとも１つを含むことを含む。
【００１２】
選択肢として、第１態様の１つの実現方式では、該端末装置は、同時に該第１ネットワークと該第２ネットワークにおいてアップリンク送信を行うことをサポートしない。
【００１３】
選択肢として、第１態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００１４】
第２態様では、本願実施例はデュアル登録の端末装置の無線通信方法を提供し、該端末装置は同時に第１ネットワーク及び第２ネットワークに登録し、
該方法は、
第１ネットワーク装置が該端末装置から送信された第１メッセージを受信し、該第１ネットワーク装置が該第１ネットワークでのネットワーク装置であることと、
該第１ネットワーク装置が第２ネットワーク装置に第１指示情報を送信し、該第１指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置が該第２ネットワークでのネットワーク装置であることと、を含む。
【００１５】
従って、本願実施例のデュアル登録の端末装置の無線通信方法では、第１ネットワーク装置は端末装置から送信された第１メッセージを受信し、第１ネットワーク装置は第２ネットワーク装置に指示情報を送信して、端末装置が第２ネットワーク装置にアップリンク情報を送信する時間を示し、それによって、端末装置は第１ネットワーク装置及び第２ネットワーク装置にアップリンク情報を合理的に送信できる。
【００１６】
選択肢として、第２態様の１つの実現方式では、該方法は更に、
該第１ネットワーク装置が該端末装置に設定情報を送信し、該設定情報は、第１期間内において第２ネットワーク装置にアップリンクメッセージを送信するように該端末装置に指示し、該第２ネットワーク装置が該第２ネットワークでのネットワーク装置であることとを含む。
【００１７】
選択肢として、第２態様の１つの実現方式では、該第１ネットワーク装置が該端末装置から送信された該設定情報を受信する前に、該方法は更に、
該第１ネットワーク装置が該端末装置から送信された指示情報を受信し、該指示情報は、該端末装置が該第２ネットワーク装置にアップリンクデータ、ページング応答、位置更新要求のうちの少なくとも１つを送信する必要があることを示すことに用いられることを含む。
【００１８】
選択肢として、第２態様の１つの実現方式では、該方法は更に、
該第１ネットワーク装置が該端末装置に第２指示情報を送信し、該第２指示情報は、第２期間内において該第２ネットワーク装置にアップリンクメッセージを送信するように該端末装置に指示することを含む。
【００１９】
選択肢として、第２態様の１つの実現方式では、該第１メッセージはアップリンクデータ、ページング応答、位置更新要求のうちの少なくとも１つを含む。
【００２０】
選択肢として、第２態様の１つの実現方式では、該アップリンクメッセージはアップリンクデータ、ページング応答、位置更新要求のうちの少なくとも１つを含む。
【００２１】
選択肢として、第２態様の１つの実現方式では、該端末装置は、同時に該第１ネットワークと該第２ネットワークにおいてアップリンク送信を行うことをサポートしない。
【００２２】
選択肢として、第２態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００２３】
第３態様では、本願実施例はデュアル登録の端末装置の無線通信方法を提供し、該端末装置は同時に第１ネットワーク及び第２ネットワークに登録し、
該方法は、
第２ネットワーク装置が第１装置から送信された指示情報を受信し、該指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置が該第２ネットワークでのネットワーク装置であることと、
該第２ネットワーク装置が該指示メッセージに基づいて、該端末装置から送信されたアップリンクメッセージを受信する時刻を決定することと、を含む。
【００２４】
従って、本願実施例のデュアル登録の端末装置の無線通信方法では、第２ネットワーク装置は第１装置から送信された指示情報を受信し、指示情報に基づいて、端末装置から送信されたアップリンク情報を受信し、それによって、端末装置は第１ネットワーク装置及び第２ネットワーク装置にアップリンク情報を合理的に送信できる。
【００２５】
選択肢として、第３態様の１つの実現方式では、該第２ネットワーク装置が該端末装置から送信された該指示情報を受信する前に、該方法は更に、
該第２ネットワーク装置が該端末装置にページングメッセージを送信することを含む。
【００２６】
選択肢として、第３態様の１つの実現方式では、該方法は更に、
該第２ネットワーク装置が該端末装置から送信されたアップリンクメッセージを受信することを含む。
【００２７】
選択肢として、第３態様の１つの実現方式では、該アップリンクメッセージはアップリンクデータ、ページング応答、位置更新要求のうちの少なくとも１つを含む。
【００２８】
選択肢として、第３態様の１つの実現方式では、該第１装置は該端末装置又は第１ネットワーク装置であり、該第１ネットワーク装置は該第１ネットワークでのネットワーク装置である。
【００２９】
選択肢として、第３態様の１つの実現方式では、該端末装置は、同時に該第１ネットワークと該第２ネットワークにおいてアップリンク送信を行うことをサポートしない。
【００３０】
選択肢として、第３態様の１つの実現方式では、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００３１】
第４態様では、本願実施例は端末装置を提供し、該端末装置は第１態様又は第１態様のいずれか１つの選択可能な実現方式における方法のモジュール又はユニットを実行できる。
【００３２】
第５態様では、本願実施例はネットワーク装置を提供し、該ネットワーク装置は第２態様又は第２態様のいずれか１つの選択可能な実現方式における方法のモジュール又はユニットを実行できる。
【００３３】
第６態様では、本願実施例はネットワーク装置を提供し、該ネットワーク装置は第３態様又は第３態様のいずれか１つの選択可能な実現方式における方法のモジュール又はユニットを実行できる。
【００３４】
第７態様では、端末装置を提供し、該端末装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第１態様又は第１態様のいずれかの可能な実現方式における方法を実行する。
【００３５】
第８態様では、ネットワーク装置を提供し、該ネットワーク装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第２態様又は第２態様のいずれかの可能な実現方式における方法を実行する。
【００３６】
第９態様では、ネットワーク装置を提供し、該ネットワーク装置はプロセッサ、メモリ、及び通信インタフェースを備える。プロセッサはメモリ及び通信インタフェースに接続される。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第３態様又は第３態様のいずれかの可能な実現方式における方法を実行する。
【００３７】
第１０態様では、コンピュータ記憶媒体を提供し、該コンピュータ記憶媒体にプログラムコードが記憶され、該プログラムコードは上記各態様に記載の方法の命令を実行するようにコンピュータに指示することに用いられる。
【００３８】
第１１態様では、命令を含むコンピュータプログラム製品を提供し、該コンピュータプログラム製品がコンピュータにおいて実行される時、コンピュータは上記各態様に記載の方法を実行する。
【図面の簡単な説明】
【００３９】
【図１】図１は本願実施例の応用シーンの模式図である。
【図２】図２は本願実施例のデュアル登録の端末装置の無線通信方法の模式的なフローチャートである。
【図３】図３は本願実施例の他のデュアル登録の端末装置の無線通信方法の模式的なフローチャートである。
【図４】図４は本願実施例の更なるデュアル登録の端末装置の無線通信方法の模式的なフローチャートである。
【図５】図５は本願実施例の端末装置の模式的なブロック図である。
【図６】図６は本願実施例のネットワーク装置の模式的なブロック図である。
【図７】図７は本願実施例の他のネットワーク装置の模式的なブロック図である。
【図８】図８は本願実施例による無線通信装置の模式的なブロック図を示す。
【図９】図９は本願実施例のシステムチップの模式的な構造図である。
【発明を実施するための形態】
【００４０】
以下は、本願実施例の図面を参照しながら、本願実施例における技術案を明確で完全に説明する。
【００４１】
本願実施例の技術案は、各種の通信システム、例えば、ロングタームエボリューション（ＬＴＥ、Ｌｏｎｇ  Ｔｅｒｍ  Ｅｖｏｌｕｔｉｏｎ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇ  ＮＲ通信システム等に適用できる。
【００４２】
本願実施例における端末装置とは、ユーザ装置（ＵＥ、Ｕｓｅｒ  Ｅｑｕｉｐｍｅｎｔ）、アクセス端末、加入者ユニット、加入者局、移動局、トラバーサー、遠隔局、遠隔端末、モバイルデバイス、ユーザ端末、端末、無線通信装置、ユーザエージェント又はユーザデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、５Ｇネットワークにおける端末装置又は将来の進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願実施例はそれを限定しない。
【００４３】
本願ではネットワーク装置を組み合わせて各実施例を説明する。本願実施例におけるネットワーク装置は端末装置と通信するための装置であってもよく、該アクセスネットワーク装置はＬＴＥシステムにおける進化型基地局（ｅＮＢ又はｅＮｏｄｅＢ、Ｅｖｏｌｕｔｉｏｎａｌ  ＮｏｄｅＢ）であってもよく、クラウド無線アクセスネットワーク（ＣＲＡＮ、Ｃｌｏｕｄ  Ｒａｄｉｏ  Ａｃｃｅｓｓ  Ｎｅｔｗｏｒｋ）シーンでの無線コントローラであってもよく、又は、該アクセスネットワーク装置は中継局、アクセスポイント、車載装置、ウェアラブルデバイス、次世代進化型基地局（ＮＧ−ｅＮＢ、Ｎｅｘｔ  Ｇｅｎｅｒａｔｉｏｎ  Ｅｖｏｌｕｔｉｏｎａｌ  ＮｏｄｅＢ）、及び５Ｇネットワークにおけるアクセスネットワーク装置（例えば、ｇＮＢ）又は将来の進化する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおけるアクセスネットワーク装置等であってもよく、本願実施例はそれを限定しない。
【００４４】
図１は本願実施例の応用シーンの模式図である。図１に示す無線通信システム１００における端末装置１１０はリンク１を介してネットワークＡに登録し、リンク２を介してネットワークＢに登録し、端末装置１１０はリンク１を介してコアネットワーク装置１２０及びアクセスネットワーク装置１３０と通信して接続し、端末装置１１０はリンク２を介してコアネットワーク装置１４０及びアクセスネットワーク装置１５０と接続する。コアネットワーク装置１２０はアクセスネットワーク装置１３０と通信して接続し、コアネットワーク装置１４０はアクセスネットワーク装置１５０と通信して接続する。コアネットワーク装置１２０とコアネットワーク装置１４０は同時に端末装置１１０にサービスを提供し、本願はそれを限定しない。
【００４５】
選択肢として、該無線通信システム１００は更に他のネットワークエンティティを含んでもよく、本願実施例はそれを限定しない。
【００４６】
選択肢として、ネットワークＡはＬＴＥネットワークであり、ネットワークＢはＮＲネットワークであり、又は、ネットワークＡはＮＲネットワークであり、ネットワークＢはＬＴＥネットワークであり、又は、ネットワークＡはＮＲネットワークであり、ネットワークＢはＮＲネットワークであり、又は、ネットワークＡはＬＴＥネットワークであり、ネットワークＢはＬＴＥネットワークである。
【００４７】
選択肢として、ＬＴＥネットワークでのコアネットワーク装置はモビリティ管理エンティティ（ＭＭＥ、Ｍｏｂｉｌｉｔｙ  Ｍａｎａｇｅｍｅｎｔ  Ｅｎｔｉｔｙ）であり、アクセスネットワーク装置はｅＮＢであり、ＮＲネットワークでのコアネットワーク装置はアクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）であり、アクセスネットワーク装置はｇＮＢである。
【００４８】
また、本願の各態様又は特徴は、方法、装置又は標準プログラミング及び／又は工程技術を使用した製品として実現できる。本願に使用される「製品」という用語は、任意のコンピュータ可読デバイス、キャリア又は媒体からアクセスできるコンピュータプログラムを含む。例えば、コンピュータ可読媒体は磁気記憶装置（例えば、ハードディスク、フロッピーディスク又は磁気テープ等）、光ディスク（例えば、コンパクトディスク（ＣＤ、Ｃｏｍｐａｃｔ  Ｄｉｓｃ）、デジタル汎用ディスク（ＤＶＤ、Ｄｉｇｉｔａｌ  Ｖｅｒｓａｔｉｌｅ  Ｄｉｓｃ）等）、スマートカード、フラッシュメモリ装置（例えば、書き換え可能プログラマブル読み取り専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブ等）を含んでもよいが、それらに限らない。また、本明細書に記載の各種記憶媒体は情報を記憶するための、１つ又は複数の装置及び／又はその他のデバイスの可読媒体を表す。「デバイスの可読媒体」という用語は、命令及び／又はデータを記憶、包含、及び／又はベアリングする各種の媒体を含むが、それには限らない。
【００４９】
理解されるように、本明細書における「システム」及び「ネットワーク」という用語は、本明細書においてしばしば交換可能に使用される。本明細書における「及び／又は」という用語は、関連オブジェクトの関連関係を説明するだけのものであり、３つの関係が存在し得ることを表し、例えば、Ａ及び／又はＢは、Ａが単独に存在すること、ＡとＢが同時に存在すること、Ｂが単独に存在することの３つの状況を表すことができる。また、本明細書における文字「／」は、一般的に前後の関連オブジェクトが「又は」の関係であることを表す。
【００５０】
図２は本願実施例のデュアル登録の端末装置の無線通信方法２００の模式的なフローチャートである。図２に示すように、該方法２００は端末装置によって実行でき、該端末装置は図１に示す端末装置であってもよく、該端末装置は同時に第１ネットワーク及び第２ネットワークに登録し、該方法２００は以下の２１０〜２２０を含む。
【００５１】
２１０、該端末装置は第１ネットワーク装置に第１メッセージを送信し、該第１ネットワーク装置は該第１ネットワークでのネットワーク装置である。
【００５２】
選択肢として、該端末装置は、同時に該第１ネットワークと該第２ネットワークにおいてアップリンク送信を行うことをサポートしない。
【００５３】
例えば、該端末装置はシングル送信（１Ｔｘ、２Ｒｘ／１Ｔｘ及び１Ｒｘ／１Ｔｘ）しかサポートしない。
【００５４】
選択肢として、該第１メッセージはアップリンクデータ、ページング応答、位置更新要求のうちの少なくとも１つを含む。
【００５５】
選択肢として、該第１ネットワークはＬＴＥネットワークであり、該第２ネットワークはＮＲネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００５６】
選択肢として、該第１ネットワーク装置はコアネットワーク装置であってもよく、アクセスネットワーク装置であってもよく、例えば、該第１ネットワークがＬＴＥネットワークであれば、該第１ネットワーク装置はＭＭＥであってもよく、ｅＮＢであってもよい。
【００５７】
２２０、該端末装置は該第１ネットワーク装置から送信された設定情報を受信し、該設定情報は第１期間内において第２ネットワーク装置にアップリンクメッセージを送信するように該端末装置に指示し、該第２ネットワーク装置は該第２ネットワークでのネットワーク装置である。
【００５８】
選択肢として、第１期間はタイマー（Ｔｉｍｅｒ）によって定義されてもよく、タイマーがタイムアウトすると、第１期間の終了を意味し、この場合、端末は第２ネットワーク装置にアップリンクメッセージを送信できず、第１ネットワーク装置のみにアップリンクメッセージを送信できる。
【００５９】
選択肢として、該第２ネットワーク装置は、間欠受信（ＤＲＸ、Ｄｉｓｃｏｎｔｉｎｕｏｕｓ  Ｒｅｃｅｐｔｉｏｎ）方式を採用して、異なる期間において端末装置から送信されたアップリンクメッセージを受信してもよい。
【００６０】
選択肢として、該アップリンクメッセージは、アップリンクデータ、ページング応答、位置更新要求のうちの少なくとも１つを含む。
【００６１】
選択肢として、該第２ネットワーク装置はコアネットワーク装置であってもよく、アクセスネットワーク装置であってもよく、例えば、該第２ネットワークがＮＲネットワークであれば、該第２ネットワーク装置はＡＭＦであってもよく、ｇＮＢであってもよい。
【００６２】
選択肢として、該第１ネットワーク装置は該第１期間を設定し、それによって、該端末装置はそれにアップリンク情報を送信する時刻を該第２ネットワーク装置に通知できる。
【００６３】
選択肢として、該端末装置が該第１ネットワーク装置に該第１メッセージを送信する前に、又は、該端末装置が該第１ネットワーク装置に該第１メッセージを送信する時に、該方法２００は更に、
該端末装置が該第２ネットワーク装置に第１指示情報を送信し、該第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信できる時間を示すことに用いられることを含む。
【００６４】
選択肢として、該第１指示情報は第２期間を含み、前記第１指示情報は前記端末装置が前記第２期間内において前記第２ネットワーク装置にアップリンクメッセージを送信できないことを示すことに用いられる。
【００６５】
選択肢として、該第２期間の長さは該第１期間にイコールしてもよく、該第１期間よりやや長くてもよい。
【００６６】
選択肢として、該端末装置は該第１メッセージの送信を終えると、該第２ネットワーク装置にアップリンク情報を送信できる。
【００６７】
選択肢として、該端末装置が該第１ネットワーク装置から送信された該設定情報を受信する前に、該方法は更に、
該端末装置が該第１ネットワーク装置に第２指示情報を送信し、該第２指示情報は、該端末装置が該第２ネットワーク装置にアップリンクデータ、ページング応答、位置更新要求のうちの少なくとも１つを送信する必要があることを示すことに用いられることを含む。
【００６８】
選択肢として、該方法は更に、該端末装置が該第２ネットワーク装置にアップリンクメッセージを送信することを含む。
【００６９】
従って、本願実施例のデュアル登録の端末装置の無線通信方法では、端末装置は第１ネットワーク装置に第１メッセージを送信すると同時に、第１ネットワーク装置から送信された設定情報に基づいて第２ネットワーク装置にアップリンク情報を送信し、それによって、端末装置は第１ネットワーク装置及び第２ネットワーク装置にアップリンク情報を合理的に送信できる。
【００７０】
図３は本願実施例のデュアル登録の端末装置の無線通信方法３００の模式的なフローチャートである。図３に示すように、該方法３００は第１ネットワーク装置によって実行でき、該第１ネットワーク装置は図１に示すコアネットワーク装置又はアクセスネットワーク装置であってもよく、該端末装置は同時に第１ネットワーク及び第２ネットワークに登録し、該方法３００は以下の３１０〜３２０を含む。
【００７１】
３１０、第１ネットワーク装置は該端末装置から送信された第１メッセージを受信し、該第１ネットワーク装置は該第１ネットワークでのネットワーク装置である。
【００７２】
選択肢として、該第１メッセージはアップリンクデータ、ページング応答、位置更新要求のうちの少なくとも１つを含む。
【００７３】
選択肢として、該端末装置は、同時に該第１ネットワークと該第２ネットワークにおいてアップリンク送信を行うことをサポートしない。
【００７４】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００７５】
３２０、該第１ネットワーク装置は第２ネットワーク装置に第１指示情報を送信し、該第１指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置は該第２ネットワークでのネットワーク装置である。
【００７６】
選択肢として、該方法は更に、
該第１ネットワーク装置が該端末装置に設定情報を送信し、該設定情報は、第１期間内において第２ネットワーク装置にアップリンクメッセージを送信するように該端末装置に指示し、該第２ネットワーク装置は該第２ネットワークでのネットワーク装置であることを含む。
【００７７】
選択肢として、該第１ネットワーク装置が該端末装置から送信された該設定情報を受信する前に、該方法は更に、
該第１ネットワーク装置が該端末装置から送信された指示情報を受信し、該指示情報は、該端末装置が該第２ネットワーク装置にアップリンクデータ、ページング応答、位置更新要求のうちの少なくとも１つを送信する必要があることを示すことに用いられることを含む。
【００７８】
選択肢として、該方法は更に、
該第１ネットワーク装置が該端末装置に第２指示情報を送信し、該第２指示情報は、第２期間内において該第２ネットワーク装置にアップリンクメッセージを送信するように該端末装置に指示することを含む。
【００７９】
選択肢として、該アップリンクメッセージはアップリンクデータ、ページング応答、位置更新要求のうちの少なくとも１つを含む。
【００８０】
理解されるように、デュアル登録の端末装置の無線通信方法３００におけるステップについては、デュアル登録の端末装置の無線通信方法２００における相応のステップの記載を参照でき、簡潔にするために、ここでは繰り返して説明しない。
【００８１】
従って、本願実施例のデュアル登録の端末装置の無線通信方法では、第１ネットワーク装置は端末装置から送信された第１メッセージを受信し、第１ネットワーク装置は第２ネットワーク装置に指示情報を送信して、端末装置が第２ネットワーク装置にアップリンク情報を送信する時間を示し、それによって、端末装置は第１ネットワーク装置及び第２ネットワーク装置にアップリンク情報を合理的に送信できる。
【００８２】
図４は本願実施例のデュアル登録の端末装置の無線通信方法４００の模式的なフローチャートである。図４に示すように、該方法４００は第２ネットワーク装置によって実行でき、該第２ネットワーク装置は図１に示すコアネットワーク装置又はアクセスネットワーク装置であってもよく、該端末装置は同時に第１ネットワーク及び第２ネットワークに登録し、該方法４００は以下の４１０〜４２０を含む。
【００８３】
４１０、第２ネットワーク装置は第１装置から送信された指示情報を受信し、該指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置は該第２ネットワークでのネットワーク装置である。
【００８４】
４２０、該第２ネットワーク装置は該指示メッセージに基づいて、該端末装置から送信されたアップリンクメッセージを受信する時刻を決定する。
【００８５】
選択肢として、該第２ネットワーク装置が該端末装置から送信された該指示情報を受信する前に、該方法は更に、
該第２ネットワーク装置が該端末装置にページングメッセージを送信することを含む。
【００８６】
選択肢として、該方法は更に、
該第２ネットワーク装置が該端末装置から送信されたアップリンクメッセージを受信することを含む。
【００８７】
選択肢として、該アップリンクメッセージは、アップリンクデータ、ページング応答、位置更新要求のうちの少なくとも１つを含む。
【００８８】
選択肢として、該第１装置は該端末装置又は第１ネットワーク装置であり、該第１ネットワーク装置は該第１ネットワークでのネットワーク装置である。
【００８９】
選択肢として、該端末装置は、同時に該第１ネットワークと該第２ネットワークにおいてアップリンク送信を行うことをサポートしない。
【００９０】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【００９１】
理解されるように、デュアル登録の端末装置の無線通信方法４００におけるステップについては、デュアル登録の端末装置の無線通信方法２００における相応のステップの記載を参照でき、簡潔にするために、ここでは繰り返して説明しない。
【００９２】
従って、本願実施例のデュアル登録の端末装置の無線通信方法では、第２ネットワーク装置は第１装置から送信された指示情報を受信し、指示情報に基づいて、端末装置から送信されたアップリンク情報を受信し、それによって、端末装置は第１ネットワーク装置及び第２ネットワーク装置にアップリンク情報を合理的に送信できる。
【００９３】
図５は本願実施例の端末装置５００の模式的なブロック図である。図５に示すように、該端末装置５００は同時に第１ネットワーク及び第２ネットワークに登録し、該端末装置５００は、
第１ネットワーク装置に第１メッセージを送信することに用いられ、該第１ネットワーク装置が該第１ネットワークでのネットワーク装置である送信ユニット５１０と、
該第１ネットワーク装置から送信された設定情報を受信することに用いられ、該設定情報は、第１期間内において第２ネットワーク装置にアップリンクメッセージを送信するように該端末装置に指示し、該第２ネットワーク装置が該第２ネットワークでのネットワーク装置である受信ユニット５２０と、を備える。
【００９４】
選択肢として、該送信ユニット５１０が該第１ネットワーク装置に該第１メッセージを送信する前に、又は、該送信ユニット５１０が該第１ネットワーク装置に該第１メッセージを送信する時に、該送信ユニット５１０は更に、該第２ネットワーク装置に第１指示情報を送信することに用いられ、該第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信できる時間を示すことに用いられる。
【００９５】
選択肢として、該第１指示情報は第２期間を含み、該第１指示情報は、該端末装置が該第２期間内において該第２ネットワーク装置にアップリンクメッセージを送信できないことを示すことに用いられる。
【００９６】
選択肢として、該受信ユニット５２０が該第１ネットワーク装置から送信された該設定情報を受信する前に、該送信ユニット５１０は更に該第１ネットワーク装置に第２指示情報を送信することに用いられ、該第２指示情報は、該端末装置が該第２ネットワーク装置にアップリンクデータ、ページング応答、位置更新要求のうちの少なくとも１つを送信する必要があることを示すことに用いられる。
【００９７】
選択肢として、該第１メッセージはアップリンクデータ、ページング応答、位置更新要求のうちの少なくとも１つを含む。
【００９８】
選択肢として、該送信ユニット５１０は更に、該第２ネットワーク装置にアップリンクメッセージを送信することに用いられ、該アップリンクメッセージはアップリンクデータ、ページング応答、位置更新要求のうちの少なくとも１つを含む。
【００９９】
選択肢として、該端末装置５００は、同時に該第１ネットワークと該第２ネットワークにおいてアップリンク送信を行うことをサポートしない。
【０１００】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【０１０１】
理解されるように、本願実施例の端末装置５００における各モジュールの上記及びその他の操作及び／又は機能はそれぞれ図２における方法２００における端末装置の相応のフローを実現するためのものであり、簡潔にするために、ここでは繰り返して説明しない。
【０１０２】
図６は本願実施例のネットワーク装置６００の模式的なブロック図である。図６に示すように、該ネットワーク装置６００は端末装置と通信し、該端末装置は同時に第１ネットワーク及び第２ネットワークに登録し、該ネットワーク装置６００は、
該端末装置から送信された第１メッセージを受信することに用いられ、該第１ネットワーク装置は該第１ネットワークでのネットワーク装置である受信ユニット６１０と、
第２ネットワーク装置に第１指示情報を送信することに用いられ、該第１指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置は該第２ネットワークでのネットワーク装置である送信ユニット６２０と、を備える。
【０１０３】
選択肢として、該送信ユニット６２０は更に該端末装置に設定情報を送信することに用いられ、該設定情報は、第１期間内において第２ネットワーク装置にアップリンクメッセージを送信するように該端末装置に指示し、該第２ネットワーク装置は該第２ネットワークでのネットワーク装置である。
【０１０４】
選択肢として、該受信ユニット６１０が該端末装置から送信された該設定情報を受信する前に、該受信ユニット６１０は更に、該端末装置から送信された指示情報を受信することに用いられ、該指示情報は該端末装置が該第２ネットワーク装置にアップリンクデータ、ページング応答、位置更新要求のうちの少なくとも１つを送信する必要があることを示すことに用いられる。
【０１０５】
選択肢として、該送信ユニット６２０は更に、該端末装置に第２指示情報を送信することに用いられ、該第２指示情報は第２期間内において該第２ネットワーク装置にアップリンクメッセージを送信するように該端末装置に指示する。
【０１０６】
選択肢として、該第１メッセージはアップリンクデータ、ページング応答、位置更新要求のうちの少なくとも１つを含む。
【０１０７】
選択肢として、該アップリンクメッセージは、アップリンクデータ、ページング応答、位置更新要求のうちの少なくとも１つを含む。
【０１０８】
選択肢として、該端末装置は同時に該第１ネットワークと該第２ネットワークにおいてアップリンク送信を行うことをサポートしない。
【０１０９】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【０１１０】
理解されるように、本願実施例のネットワーク装置６００における各モジュールの上記及びその他の操作及び／又は機能はそれぞれ図３における方法３００における第１ネットワーク装置の相応のフローを実現するためのものであり、簡潔にするために、ここでは繰り返して説明しない。
【０１１１】
図７は本願実施例のネットワーク装置７００の模式的なブロック図である。図７に示すように、該ネットワーク装置７００は端末装置と通信し、該端末装置は同時に第１ネットワーク及び第２ネットワークに登録し、該ネットワーク装置７００は、
第１装置から送信された指示情報を受信することに用いられ、該指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置が該第２ネットワークでのネットワーク装置である受信ユニット７１０と、
該指示メッセージに基づいて、該端末装置から送信されたアップリンクメッセージを受信する時刻を決定することに用いられる処理ユニット７２０と、を備える。
【０１１２】
選択肢として、該受信ユニット７１０が該端末装置から送信された該指示情報を受信する前に、該ネットワーク装置７００は更に、
該端末装置にページングメッセージを送信することに用いられる送信ユニット７３０を備える。
【０１１３】
選択肢として、該受信ユニット７１０は更に、該端末装置から送信されたアップリンクメッセージを受信することに用いられる。
【０１１４】
選択肢として、該アップリンクメッセージは、アップリンクデータ、ページング応答、位置更新要求のうちの少なくとも１つを含む。
【０１１５】
選択肢として、該第１装置は該端末装置又は第１ネットワーク装置であり、該第１ネットワーク装置は該第１ネットワークでのネットワーク装置である。
【０１１６】
選択肢として、該端末装置は、同時に該第１ネットワークと該第２ネットワークにおいてアップリンク送信を行うことをサポートしない。
【０１１７】
選択肢として、該第１ネットワークはロングタームエボリューション（ＬＴＥ）ネットワークであり、該第２ネットワークは新エアインタフェース（ＮＲ）ネットワークであり、又は、該第１ネットワークはＮＲネットワークであり、該第２ネットワークはＬＴＥネットワークであり、又は、該第１ネットワークはＮＲネットワークであり、該第２ネットワークはＮＲネットワークであり、又は、該第１ネットワークはＬＴＥネットワークであり、該第２ネットワークはＬＴＥネットワークである。
【０１１８】
理解されるように、本願実施例のネットワーク装置７００における各モジュールの上記及びその他の操作及び／又は機能はそれぞれ図４における方法４００における第２ネットワーク装置の相応のフローを実現するためのものであり、簡潔にするために、ここでは繰り返して説明しない。
【０１１９】
図８は本願実施例による無線通信装置８００の模式的なブロック図を示し、該装置８００は、
プログラムを記憶することに用いられ、該プログラムがコードを含むメモリ８１０と、
他の装置と通信を行うことに用いられる送受信機８２０と、
メモリ８１０におけるプログラムコードを実行することに用いられるプロセッサ８３０と、を備える。
【０１２０】
選択肢として、送受信機８２０はプロセッサ８３０の駆動で具体的な信号送受信を実行することに用いられる。
【０１２１】
選択肢として、該コードが実行される時、該プロセッサ８３０は図２における方法２００における端末装置の実行する各操作を実現でき、簡潔にするために、ここでは繰り返して説明しない。この時、該装置８００は端末装置（例えば、携帯電話）であってもよい。
【０１２２】
選択肢として、該コードが実行される時、該プロセッサ８３０は図３における方法３００における第１ネットワーク装置、又は、図４における方法４００における第２ネットワーク装置の実行する各操作を実現でき、簡潔にするために、ここでは繰り返して説明しない。この時、該装置８００はアクセスネットワーク装置（例えば、ｇＮＢ）、又はコアネットワーク装置（例えば、ＡＭＦ）であってもよい。
【０１２３】
理解されるように、本願実施例において、該プロセッサ８３０は中央処理装置（ＣＰＵ、Ｃｅｎｔｒａｌ  Ｐｒｏｃｅｓｓｉｎｇ  Ｕｎｉｔ）であってもよく、該プロセッサ８３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは如何なる通常のプロセッサ等であってもよい。
【０１２４】
該メモリ８１０は読み取り専用メモリ及びランダムアクセスメモリを含んでもよく、そしてプロセッサ８３０に命令及びデータを提供する。メモリ８１０の一部には不揮発性ランダムアクセスメモリが含まれてもよい。例えば、メモリ８１０は装置タイプの情報を記憶してもよい。
【０１２５】
送受信機８２０は、信号の送受信機能、例えば、周波数変調及び復調機能、又はアップコンバートとダウンコンバートと呼ばれる機能を実現することに用いられるものであってもよい。
【０１２６】
実現過程において、上記方法の少なくとも１つのステップはプロセッサ８３０におけるハードウェアの集積論理回路で遂行でき、又は該集積論理回路はソフトウェア形式の命令の駆動で該少なくとも１つのステップを遂行できる。従って、無線通信装置８００はチップ又はチップセットであってもよい。本願の実施例に開示される方法のステップはハードウェアプロセッサで遂行し、又はプロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサ８３０がメモリにおける情報を読み取り、ハードウェアと組み合わせて上記方法のステップを遂行する。重複を避けるために、ここでは詳しく説明しない。
【０１２７】
図９は本願実施例のシステムチップ９００の模式的な構造図である。図９のシステムチップ９００は入力インタフェース９０１、出力インタフェース９０２、プロセッサ９０３、及びメモリ９０４を含み、入力インタフェース９０１、出力インタフェース９０２、プロセッサ９０３、及びメモリ９０４の間には内部接続回路で接続され、該プロセッサ９０３は該メモリ９０４におけるコードを実行することに用いられる。
【０１２８】
選択肢として、該コードが実行される時、該プロセッサ９０３は方法実施例における端末装置によって実行される方法を実現する。簡潔にするために、ここでは繰り返して説明しない。
【０１２９】
選択肢として、該コードが実行される時、該プロセッサ９０３は方法実施例における第１ネットワーク装置又は第２ネットワーク装置によって実行される方法を実現する。簡潔にするために、ここでは繰り返して説明しない。
【０１３０】
上記実施例は、全体又は部分的にソフトウェア、ハードウェア、ファームウェア、又はそれらの任意の組み合わせで実現されてもよい。ソフトウェアで実現される時は全体又は部分的にコンピュータプログラム製品の形式で実現されてもよい。該コンピュータプログラム製品は１つ又は複数のコンピュータ命令を含む。該コンピュータプログラム命令がコンピュータにロードされて実行される時、本願実施例に記載のフロー又は機能が全体又は部分的に発生する。該コンピュータは、汎用コンピュータ、専用コンピュータ、コンピュータネットワーク、又はその他のプログラム可能装置であってもよい。該コンピュータ命令はコンピュータ読み取り可能な記憶媒体に記憶され、又は１つのコンピュータ読み取り可能な記憶媒体から他のコンピュータ読み取り可能な記憶媒体に伝送されてもよく、例えば、該コンピュータ命令は１つのウェブサイト、コンピュータ、サーバ、又はデータセンターから有線（例えば、同軸ケーブル、光ファイバ、デジタル加入者回線（ＤＳＬ））又は無線（例えば赤外線、無線、マイクロ波等）方式を介して他のウェブサイト、コンピュータ、サーバ、又はデータセンターに伝送されてもよい。該コンピュータ読み取り可能な記憶媒体はコンピュータがアクセスできる任意の利用可能な媒体、又は１つ又は複数の利用可能な媒体を統合したサーバ、データセンター等のデータ記憶装置であってもよい。該利用可能な媒体は磁気媒体（例えば、フロッピーディスク、ハードディスク、磁気テープ）、光媒体（例えば、ＤＶＤ）、又は半導体媒体（例えば、ソリッドステートディスク（ＳＳＤ、Ｓｏｌｉｄ  Ｓｔａｔｅ  Ｄｉｓｋ））等であってもよい。
【０１３１】
理解されるように、本願の様々な実施例において、上記各プロセスの番号は実行順序の後先を意味するものではなく、各プロセスの実行順序はその機能と内的論理によって決定されるべきであり、本願実施例の実施プロセスに対して何らの限定となるべきではない。
【０１３２】
当業者であれば明確に理解できるように、説明を容易で簡単にするために、上記説明されたシステム、装置及びユニットの具体的な動作過程については、前述の方法実施例における対応過程を参照でき、ここでは繰り返して説明しない。
【０１３３】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は該特許請求の範囲に記載の保護範囲に準じるべきである。
【図１】
2021512513.tif 000003
【図２】
2021512513.tif 000004
【図３】
2021512513.tif 000005
【図４】
2021512513.tif 000006
【図５】
2021512513.tif 000007
【図６】
2021512513.tif 000008
【図７】
2021512513.tif 000009
【図８】
2021512513.tif 000010
【図９】
2021512513.tif 000011
【手続補正書】
【提出日】令和2年11月11日(2020.11.11)
【手続補正１】
【補正対象書類名】明細書
【補正対象項目名】００１４
【補正方法】変更
【補正の内容】
【００１４】
第２態様では、本願実施例はデュアル登録の端末装置の無線通信方法を提供し、該端末装置は同時に第１ネットワーク及び第２ネットワークに登録し、
該方法は、
第１ネットワーク装置が該端末装置から送信された第１メッセージを受信し、該第１ネットワーク装置が該第１ネットワークでのネットワーク装置であることと、
該第１ネットワーク装置が第２ネットワーク装置に第１指示情報を送信し、該第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信する時間を示すことに用いられ、該第２ネットワーク装置が該第２ネットワークでのネットワーク装置であることと、を含む。
【手続補正２】
【補正対象書類名】明細書
【補正対象項目名】００１７
【補正方法】変更
【補正の内容】
【００１７】
選択肢として、第２態様の１つの実現方式では、該第１ネットワーク装置が該端末装置に該設定情報を送信する前に、該方法は更に、
該第１ネットワーク装置が該端末装置から送信された指示情報を受信し、該指示情報は、該端末装置が該第２ネットワーク装置にアップリンクデータ、ページング応答、位置更新要求のうちの少なくとも１つを送信する必要があることを示すことに用いられることを含む。
【手続補正３】
【補正対象書類名】明細書
【補正対象項目名】００２３
【補正方法】変更
【補正の内容】
【００２３】
第３態様では、本願実施例はデュアル登録の端末装置の無線通信方法を提供し、該端末装置は同時に第１ネットワーク及び第２ネットワークに登録し、
該方法は、
第２ネットワーク装置が第１装置から送信された指示情報を受信し、該指示情報は、該端末装置が現在該第２ネットワーク装置にアップリンクメッセージを送信できないことを示すことに用いられ、又は、該指示情報は、該端末装置が該第２ネットワーク装置にアップリンクメッセージを送信する時間を示すことに用いられ、該第２ネットワーク装置が該第２ネットワークでのネットワーク装置であることと、
該第２ネットワーク装置が該指示情報に基づいて、該端末装置から送信されたアップリンクメッセージを受信する時刻を決定することと、を含む。
【手続補正４】
【補正対象書類名】明細書
【補正対象項目名】００２５
【補正方法】変更
【補正の内容】
【００２５】
選択肢として、第３態様の１つの実現方式では、該第２ネットワーク装置が該第１装置から送信された該指示情報を受信する前に、該方法は更に、
該第２ネットワーク装置が該第１装置にページングメッセージを送信することを含む。
【手続補正５】
【補正対象書類名】明細書
【補正対象項目名】００７５
【補正方法】変更
【補正の内容】
【００７５】
３２０、該第１ネットワーク装置は第２ネットワーク装置に第１指示情報を送信し、該第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信する時間を示すことに用いられ、該第２ネットワーク装置は該第２ネットワークでのネットワーク装置である。
【手続補正６】
【補正対象書類名】明細書
【補正対象項目名】００７７
【補正方法】変更
【補正の内容】
【００７７】
選択肢として、該第１ネットワーク装置が該端末装置に該設定情報を送信する前に、該方法は更に、
該第１ネットワーク装置が該端末装置から送信された指示情報を受信し、該指示情報は、該端末装置が該第２ネットワーク装置にアップリンクデータ、ページング応答、位置更新要求のうちの少なくとも１つを送信する必要があることを示すことに用いられることを含む。
【手続補正７】
【補正対象書類名】明細書
【補正対象項目名】００８４
【補正方法】変更
【補正の内容】
【００８４】
４２０、該第２ネットワーク装置は該指示情報に基づいて、該端末装置から送信されたアップリンクメッセージを受信する時刻を決定する。
【手続補正８】
【補正対象書類名】明細書
【補正対象項目名】００８５
【補正方法】変更
【補正の内容】
【００８５】
選択肢として、該第２ネットワーク装置が該第１装置から送信された該指示情報を受信する前に、該方法は更に、
該第２ネットワーク装置が該端末装置にページングメッセージを送信することを含む。
【手続補正９】
【補正対象書類名】明細書
【補正対象項目名】０１０２
【補正方法】変更
【補正の内容】
【０１０２】
図６は本願実施例のネットワーク装置６００の模式的なブロック図である。図６に示すように、該ネットワーク装置６００は端末装置と通信し、該端末装置は同時に第１ネットワーク及び第２ネットワークに登録し、該ネットワーク装置６００は、
該端末装置から送信された第１メッセージを受信することに用いられ、該ネットワーク装置は該第１ネットワークでのネットワーク装置である受信ユニット６１０と、
第２ネットワーク装置に第１指示情報を送信することに用いられ、該第１指示情報は、該端末装置が現在該第２ネットワーク装置にアップリンクメッセージを送信できないことを示すことに用いられ、又は、該第１指示情報は、該端末装置が該第２ネットワーク装置にアップリンクメッセージを送信する時間を示すことに用いられ、該第２ネットワーク装置は該第２ネットワークでのネットワーク装置である送信ユニット６２０と、を備える。
【手続補正１０】
【補正対象書類名】明細書
【補正対象項目名】０１０４
【補正方法】変更
【補正の内容】
【０１０４】
選択肢として、該送信ユニット６２０が該端末装置に該設定情報を送信する前に、該受信ユニット６１０は更に、該端末装置から送信された指示情報を受信することに用いられ、該指示情報は該端末装置が該第２ネットワーク装置にアップリンクデータ、ページング応答、位置更新要求のうちの少なくとも１つを送信する必要があることを示すことに用いられる。
【手続補正１１】
【補正対象書類名】明細書
【補正対象項目名】０１１１
【補正方法】変更
【補正の内容】
【０１１１】
図７は本願実施例のネットワーク装置７００の模式的なブロック図である。図７に示すように、該ネットワーク装置７００は端末装置と通信し、該端末装置は同時に第１ネットワーク及び第２ネットワークに登録し、該ネットワーク装置７００は、
第１装置から送信された指示情報を受信することに用いられ、該指示情報は、該端末装置が現在該ネットワーク装置にアップリンクメッセージを送信できないことを示すことに用いられ、又は、該指示情報は、該端末装置が該ネットワーク装置にアップリンクメッセージを送信する時間を示すことに用いられ、該ネットワーク装置が該第２ネットワークでのネットワーク装置である受信ユニット７１０と、
該指示情報に基づいて、該端末装置から送信されたアップリンクメッセージを受信する時刻を決定することに用いられる処理ユニット７２０と、を備える。
【手続補正１２】
【補正対象書類名】明細書
【補正対象項目名】０１１２
【補正方法】変更
【補正の内容】
【０１１２】
選択肢として、該受信ユニット７１０が該第１装置から送信された該指示情報を受信する前に、該ネットワーク装置７００は更に、
該端末装置にページングメッセージを送信することに用いられる送信ユニット７３０を備える。
【手続補正１３】
【補正対象書類名】特許請求の範囲
【補正対象項目名】全文
【補正方法】変更
【補正の内容】
【特許請求の範囲】
【請求項１】
デュアル登録の端末装置の無線通信方法であって、前記端末装置は同時に第１ネットワーク及び第２ネットワークに登録し、
前記方法は、
前記端末装置が第１ネットワーク装置に第１メッセージを送信し、前記第１ネットワーク装置が前記第１ネットワークでのネットワーク装置であることと、
前記端末装置が前記第１ネットワーク装置から送信された設定情報を受信し、前記設定情報は、第１期間内において第２ネットワーク装置にアップリンクメッセージを送信するように前記端末装置に指示し、前記第２ネットワーク装置が前記第２ネットワークでのネットワーク装置であることと、を含むことを特徴とするデュアル登録の端末装置の無線通信方法。
【請求項２】
前記端末装置が前記第１ネットワーク装置に前記第１メッセージを送信する前に、又は、前記端末装置が前記第１ネットワーク装置に前記第１メッセージを送信する時に、前記方法は更に、
前記端末装置が前記第２ネットワーク装置に第１指示情報を送信し、前記第１指示情報は、前記端末装置が現在前記第２ネットワーク装置にアップリンクメッセージを送信できないことを示すことに用いられ、又は、前記第１指示情報は、前記端末装置が前記第２ネットワーク装置にアップリンクメッセージを送信できる時間を示すことに用いられることを含むことを特徴とする請求項１に記載の方法。
【請求項３】
前記第１指示情報は第２期間を含み、前記第１指示情報は、前記端末装置が前記第２期間内において前記第２ネットワーク装置にアップリンクメッセージを送信できないことを示すことに用いられることを特徴とする請求項２に記載の方法。
【請求項４】
前記端末装置が前記第１ネットワーク装置から送信された前記設定情報を受信する前に、前記方法は更に、
前記端末装置が前記第１ネットワーク装置に第２指示情報を送信し、前記第２指示情報は、前記端末装置が前記第２ネットワーク装置にアップリンクデータ、ページング応答、位置更新要求のうちの少なくとも１つを送信する必要があることを示すことに用いられることを含むことを特徴とする請求項１に記載の方法。
【請求項５】
前記第１メッセージはアップリンクデータ、ページング応答、位置更新要求のうちの少なくとも１つを含むことを特徴とする請求項１〜４のいずれか１項に記載の方法。
【請求項６】
前記端末装置が前記第２ネットワーク装置にアップリンクメッセージを送信し、前記アップリンクメッセージはアップリンクデータ、ページング応答、位置更新要求のうちの少なくとも１つを含むことを更に含むことを特徴とする請求項１〜５のいずれか１項に記載の方法。
【請求項７】
前記端末装置は、同時に前記第１ネットワークと前記第２ネットワークにおいてアップリンク送信を行うことをサポートしないことを特徴とする請求項１〜６のいずれか１項に記載の方法。
【請求項８】
前記第１ネットワークはロングタームエボリューション（ＬＴＥ）ネットワークであり、前記第２ネットワークは新エアインタフェース（ＮＲ）ネットワークであり、又は、前記第１ネットワークはＮＲネットワークであり、前記第２ネットワークはＬＴＥネットワークであり、又は、前記第１ネットワークはＮＲネットワークであり、前記第２ネットワークはＮＲネットワークであり、又は、前記第１ネットワークはＬＴＥネットワークであり、前記第２ネットワークはＬＴＥネットワークであることを特徴とする請求項１〜７のいずれか１項に記載の方法。
【請求項９】
端末装置であって、前記端末装置は同時に第１ネットワーク及び第２ネットワークに登録し、
前記端末装置は、
第１ネットワーク装置に第１メッセージを送信することに用いられ、前記第１ネットワーク装置が前記第１ネットワークでのネットワーク装置である送信ユニットと、
前記第１ネットワーク装置から送信された設定情報を受信することに用いられ、前記設定情報は、第１期間内において第２ネットワーク装置にアップリンクメッセージを送信するように前記端末装置に指示し、前記第２ネットワーク装置が前記第２ネットワークでのネットワーク装置である受信ユニットと、を備えることを特徴とする端末装置。
【請求項１０】
前記送信ユニットが前記第１ネットワーク装置に前記第１メッセージを送信する前に、又は、前記送信ユニットが前記第１ネットワーク装置に前記第１メッセージを送信する時に、前記送信ユニットは更に、前記第２ネットワーク装置に第１指示情報を送信することに用いられ、前記第１指示情報は、前記端末装置が現在前記第２ネットワーク装置にアップリンクメッセージを送信できないことを示すことに用いられ、又は、前記第１指示情報は、前記端末装置が前記第２ネットワーク装置にアップリンクメッセージを送信できる時間を示すことに用いられることを特徴とする請求項９に記載の端末装置。
【請求項１１】
前記第１指示情報は第２期間を含み、前記第１指示情報は、前記端末装置が前記第２期間内において前記第２ネットワーク装置にアップリンクメッセージを送信できないことを示すことに用いられることを特徴とする請求項１０に記載の端末装置。
【請求項１２】
前記受信ユニットが前記第１ネットワーク装置から送信された前記設定情報を受信する前に、前記送信ユニットは更に、前記第１ネットワーク装置に第２指示情報を送信することに用いられ、前記第２指示情報は、前記端末装置が前記第２ネットワーク装置にアップリンクデータ、ページング応答、位置更新要求のうちの少なくとも１つを送信する必要があることを示すことに用いられることを特徴とする請求項９に記載の端末装置。
【請求項１３】
前記第１メッセージはアップリンクデータ、ページング応答、位置更新要求のうちの少なくとも１つを含むことを特徴とする請求項９〜１２のいずれか１項に記載の端末装置。
【請求項１４】
前記送信ユニットは更に、前記第２ネットワーク装置にアップリンクメッセージを送信することに用いられ、前記アップリンクメッセージはアップリンクデータ、ページング応答、位置更新要求のうちの少なくとも１つを含むことを特徴とする請求項９〜１３のいずれか１項に記載の端末装置。
【請求項１５】
前記端末装置は、同時に前記第１ネットワークと前記第２ネットワークにおいてアップリンク送信を行うことをサポートしないことを特徴とする請求項９〜１４のいずれか１項に記載の端末装置。
【手続補正１４】
【補正対象書類名】図面
【補正対象項目名】図３
【補正方法】変更
【補正の内容】
【図３】
2021512513.tif 000012
【手続補正１５】
【補正対象書類名】図面
【補正対象項目名】図４
【補正方法】変更
【補正の内容】
【図４】
2021512513.tif 000013
【国際調査報告】
2021512513.tif 000014
2021512513.tif 000015
2021512513.tif 000016
2021512513.tif 000017